(57)【要約】【課題】コネクタの誤挿入を抑制できるワイヤハーネス及びワイヤハーネスのコネクタの仮保持方法を提供する。【解決手段】第１のコネクタ２０及び第２のコネクタ４０は、爪部３４及び爪部５４をそれぞれ有している。経路規制部材６０は、第１のコネクタ２０及び第２のコネクタ４０が挿入される挿入凹部７０ａを有し、第１のコネクタ２０及び第２のコネクタ４０を仮保持する仮保持部７０を備えている。挿入凹部７０ａの第１壁部７１には、第１のコネクタ２０の爪部３４が係止される第１凹部及び第２のコネクタ４０の爪部５４が係止される第２凹部が設けられている。挿入凹部７０ａの内側壁と、仮保持部７０に仮保持された第１のコネクタ２０との間には、空隙部が形成される。【選択図】図４
2020010572.tif 000002
【特許請求の範囲】
【請求項１】
電線及び前記電線の端末に設けられたコネクタをそれぞれ有し、前記コネクタの形状が互いに異なる複数のハーネス本体から選択された一つの当該ハーネス本体と、当該ハーネス本体の外周に位置することで当該ハーネス本体の配索経路を規制する規制部を有し、複数の前記ハーネス本体に対して共通して設けられる経路規制部材と、を備えるワイヤハーネスにおいて、
前記経路規制部材は、当該ハーネス本体の前記コネクタが挿入可能な挿入凹部を有し、複数の前記ハーネス本体の前記コネクタに対して共通の仮保持部を備える、
ワイヤハーネス。
【請求項２】
電線及び前記電線の端末に設けられたコネクタを有するハーネス本体と、前記ハーネス本体の外周に位置することで前記ハーネス本体の配索経路を規制する規制部を有する経路規制部材と、を備えるワイヤハーネスであって、
前記コネクタは、爪部を有しており、
前記経路規制部材は、前記コネクタが挿入される挿入凹部を有し、前記コネクタを仮保持する仮保持部を備えており、
前記挿入凹部の内側壁には、前記爪部が係止される第１凹部及び前記爪部の係止に寄与しない第２凹部が設けられており、
前記挿入凹部の内側壁と前記仮保持部に仮保持された前記コネクタとの間には、空隙部が形成される、
ワイヤハーネス。
【請求項３】
前記第１凹部及び前記第２凹部は前記挿入凹部における同一の前記内側壁に設けられている、
請求項２に記載のワイヤハーネス。
【請求項４】
前記第１凹部と前記第２凹部とは前記挿入凹部の幅方向に隣り合って設けられるとともに互いに連通している、
請求項３に記載のワイヤハーネス。
【請求項５】
前記挿入凹部の内側壁のうち前記第１凹部及び前記第２凹部に対向する対向壁には、内側に向かって突出する規制凸部が設けられており、
前記コネクタは、前記規制凸部の頂面に当接されることで前記対向壁側への変位が規制されるとともに、前記規制凸部の側面に当接されることで前記挿入凹部の幅方向への変位が規制される、
請求項３または請求項４に記載のワイヤハーネス。
【請求項６】
電線及び前記電線の端末に設けられたコネクタをそれぞれ有し、前記コネクタの形状が互いに異なる複数のハーネス本体から選択された一つの当該ハーネス本体と、当該ハーネス本体の外周に位置することで当該ハーネス本体の配索経路を規制する規制部を有し、複数の前記ハーネス本体に対して共通の経路規制部材と、を備えるワイヤハーネスに適用され、当該ハーネス本体の前記コネクタを仮保持する方法であって、
前記経路規制部材には、当該ハーネス本体の前記コネクタが挿入可能な挿入凹部を有し、複数の前記ハーネス本体の前記コネクタに対して共通の仮保持部が設けられており、
当該ハーネス本体の前記コネクタを前記仮保持部に挿入して仮保持させる、
ワイヤハーネスのコネクタの仮保持方法。
【発明の詳細な説明】
【技術分野】
【０００１】
本発明は、ワイヤハーネス及びワイヤハーネスのコネクタの仮保持方法に関する。
【背景技術】
【０００２】
例えば車両に配索されるワイヤハーネスにおいては、電線の一部を覆って設けられることで電線の配索経路の規制や、電線の保護を行うプロテクタが知られている（例えば特許文献１参照）。特許文献１に記載のプロテクタは、電線の一部を覆う本体部と、本体部の外側面に設けられ、電線のうち本体部の外側に位置する露出部を挟むことで同露出部を曲がった状態に仮留めする仮留め部とを有している。上記仮留め部は、例えば電線の露出部の一部を挟み込む溝状をなしている。露出部を挟み込んでいない状態の仮留め部における溝の幅は、露出部の直径よりもやや小さく形成されている。仮留め部が弾性変形することにより露出部が溝内に挟み込まれる。
【０００３】
特許文献２には、複数の蓄電素子が並べられてなる蓄電素子群に取り付けられる配線モジュールが開示されている。上記配線モジュールは、複数の蓄電素子同士を電気的に接続するバスバー、バスバーを収容するとともに蓄電素子群に載置される絶縁プロテクタ、バスバー側から絶縁プロテクタの外部に延出される電線、電線の延出端部に設けられたコネクタ、及び絶縁プロテクタに設けられ、コネクタを着脱可能に保持するコネクタ保持部を備えている。上記コネクタ保持部は、コネクタが挿入される保持凹部と、保持凹部の内部に設けられ、コネクタの弾性片が係止される保持孔とを備えている。コネクタが保持凹部に収容されるとともに、弾性片が保持孔に係止されることで、コネクタがコネクタ保持部に対して仮保持される。これにより、コネクタが外部機器に接続されていない状態において、コネクタが絶縁プロテクタの外部において電線の先端にぶら下がって他部品と干渉することを抑制できる。
【先行技術文献】
【特許文献】
【０００４】
【特許文献１】特開２０１５−１０９７２２号公報
【特許文献２】特許第６２９９９１８号公報
【発明の概要】
【発明が解決しようとする課題】
【０００５】
ところで、特許文献１に記載のプロテクタの仮留め部においては、以下の不都合が生じるおそれがある。すなわち、仮留め部は、電線の露出部を挟み込むことで仮留めしているため、露出部が仮留め部に対して露出部の長さ方向にずれたり、仮留め部から外れたりする。
【０００６】
そこで、こうした不都合を回避するために、本願発明者は、特許文献１に記載の仮留め部に代えて、特許文献２に記載のコネクタ保持部を適用することを考えた。
ところが、コネクタ形状の異なる複数種類の電線に対して共通のプロテクタ（以下、経路規制部材）を適用しようとすると、複数種類のコネクタの形状にそれぞれ対応した形状を有する複数のコネクタ保持部（以下、仮保持部）を経路規制部材に設ける必要がある。しかしながら、この場合、作業者は、複数の仮保持部の中から当該コネクタに対応した仮保持部を見分けなければならず、コネクタを誤った仮保持部に挿入するおそれがある。
【０００７】
本発明の目的は、コネクタの誤挿入を抑制することのできるワイヤハーネス及びワイヤハーネスのコネクタの仮保持方法を提供することにある。
【課題を解決するための手段】
【０００８】
上記目的を達成するためのワイヤハーネスは、電線及び前記電線の端末に設けられたコネクタをそれぞれ有し、前記コネクタの形状が互いに異なる複数のハーネス本体から選択された一つの当該ハーネス本体と、当該ハーネス本体の外周に位置することで当該ハーネス本体の配索経路を規制する規制部を有し、複数の前記ハーネス本体に対して共通して設けられる経路規制部材と、を備えるワイヤハーネスにおいて、前記経路規制部材は、当該ハーネス本体の前記コネクタが挿入可能な挿入凹部を有し、複数の前記ハーネス本体の前記コネクタに対して共通の仮保持部を備える。
【０００９】
同構成によれば、コネクタの形状が互いに異なる複数のハーネス本体から選択された１つの当該ハーネス本体の外周に経路規制部材の規制部を配置することによって当該ハーネス本体の配索経路を規制することができる。また、経路規制部材には、複数のハーネス本体のコネクタに対して共通の仮保持部が設けられている。このため、いずれのハーネス本体のコネクタであっても仮保持部の挿入凹部に挿入して仮保持させることができる。したがって、コネクタの仮保持部への誤挿入を抑制することができる。
【００１０】
また、上記目的を達成するためのワイヤハーネスのコネクタの仮保持方法は、電線及び前記電線の端末に設けられたコネクタをそれぞれ有し、前記コネクタの形状が互いに異なる複数のハーネス本体から選択された一つの当該ハーネス本体と、当該ハーネス本体の外周に位置することで当該ハーネス本体の配索経路を規制する規制部を有し、複数の前記ハーネス本体に対して共通して設けられる経路規制部材と、を備えるワイヤハーネスに適用され、当該ハーネス本体の前記コネクタを仮保持する方法であって、前記経路規制部材には、当該ハーネス本体の前記コネクタが挿入可能な挿入凹部を有し、複数の前記ハーネス本体の前記コネクタに対して共通の仮保持部が設けられており、当該ハーネス本体の前記コネクタを前記仮保持部に挿入して仮保持させる。
【００１１】
同方法によれば、上記のワイヤハーネスによる作用効果に準じた作用効果を奏することができる。
また、上記目的を達成するためのワイヤハーネスは、電線及び前記電線の端末に設けられたコネクタを有するハーネス本体と、前記ハーネス本体の外周に位置することで前記ハーネス本体の配索経路を規制する規制部を有する経路規制部材と、を備えるワイヤハーネスであって、前記コネクタは、爪部を有しており、前記経路規制部材は、前記コネクタが挿入される挿入凹部を有し、前記コネクタを仮保持する仮保持部を備えており、前記挿入凹部の内側壁には、前記爪部が係止される第１凹部及び前記爪部の係止に寄与しない第２凹部が設けられており、前記挿入凹部の内側壁と前記仮保持部に仮保持された前記コネクタとの間には、空隙部が形成される。
【００１２】
同構成によれば、ハーネス本体の外周に経路規制部材の規制部を配置することによってハーネス本体の配索経路を規制することができる。
また、経路規制部材には仮保持部が設けられているため、ハーネス本体のコネクタを仮保持部の挿入凹部に挿入すると、コネクタの爪部が挿入凹部の内側壁に設けられた第１凹部に係止されることで同コネクタを仮保持させることができる。
【００１３】
ここで、挿入凹部の内側壁には、第１凹部に加えて、爪部の係止に寄与しない第２凹部が設けられている。また、挿入凹部の内側壁と仮保持部に仮保持されたコネクタとの間には、空隙部が形成される。これらにより、上記第２凹部に係止される爪部を有するとともに上記空隙部に沿った形状を有する他のコネクタについても仮保持部の挿入凹部に挿入して仮保持させることができる。したがって、コネクタの形状が互いに異なる複数のハーネス本体から選択された１つの当該ハーネス本体の外周に経路規制部材の規制部を配置することによって当該ハーネス本体の配索経路を規制することができるとともに、コネクタの仮保持部への誤挿入を抑制することができる。
【００１４】
上記ワイヤハーネスにおいて、前記第１凹部及び前記第２凹部は前記挿入凹部における同一の前記内側壁に設けられていることが好ましい。
同構成によれば、第１凹部及び第２凹部が挿入凹部における同一の内側壁に設けられているため、コネクタの形状にかかわらずコネクタを同一の姿勢にて挿入凹部に挿入して仮保持することができる。したがって、仮保持部に対してコネクタを仮保持させる作業を容易に行うことができる。
【００１５】
上記ワイヤハーネスにおいて、前記第１凹部と前記第２凹部とは前記挿入凹部の幅方向に隣り合って設けられるとともに互いに連通していることが好ましい。
同構成によれば、第１凹部と第２凹部とが互いに連通して１つの凹部となるため、仮保持部の形状が簡単になることから、仮保持部、ひいては経路規制部材を容易に形成することができる。
【００１６】
上記ワイヤハーネスにおいて、前記挿入凹部の内側壁のうち前記第１凹部及び前記第２凹部に対向する対向壁には、内側に向かって突出する規制凸部が設けられており、前記コネクタは、前記規制凸部の頂面に当接されることで前記対向壁側への変位が規制されるとともに、前記規制凸部の側面に当接されることで前記挿入凹部の幅方向への変位が規制されることが好ましい。
【００１７】
同構成によれば、挿入凹部の対向壁に突設された規制凸部の頂面と側面とによって挿入凹部内におけるコネクタの位置規制を行うことができる。
【発明の効果】
【００１８】
本発明によれば、コネクタの誤挿入を抑制することができる。
【図面の簡単な説明】
【００１９】
【図１】ワイヤハーネスの一実施形態について、ハーネス本体に経路規制部材が設けられた状態を示す斜視図。
【図２】同実施形態の経路規制部材を示す平面図。
【図３】同実施形態の経路規制部材について、図２とは反対側から示す平面図。
【図４】同実施形態のワイヤハーネスの経路規制部材と、第１のコネクタ及び第２のコネクタとを互いに離間して示す斜視図。
【図５】同実施形態の経路規制部材における仮保持部を中心に拡大して示す正面図。
【図６】図５の６−６線に沿った断面図。
【図７】同実施形態の第１のコネクタを示す図であって、（ａ）は基端側から見た斜視図、（ｂ）は、（ａ）の７ｂ−７ｂ線に沿った断面図、（ｃ）は基端側から見た正面図、（ｄ）は先端側から見た背面図。
【図８】同実施形態のワイヤハーネスについて、仮保持部に第１のコネクタが挿入されている状態を示す断面図。
【図９】図８の９−９線に沿った断面図。
【図１０】同実施形態の第２のコネクタを示す図であって、（ａ）は基端側から見た斜視図、（ｂ）は、（ａ）の１０ｂ−１０ｂ線に沿った断面図、（ｃ）は基端側から見た正面図、（ｄ）は先端側から見た背面図。
【図１１】同実施形態のワイヤハーネスについて、仮保持部に第２のコネクタが挿入されている状態を示す断面図。
【図１２】図１１の１２−１２線に沿った断面図。
【発明を実施するための形態】
【００２０】
以下、図１〜図１２を参照して、一実施形態について説明する。
本実施形態のワイヤハーネスは、例えば車両に配索されるものであり、当該車両に配置された機器同士を電気的に接続する。
【００２１】
図１に示すように、ワイヤハーネスは、ハーネス本体１０と、ハーネス本体１０の外周に位置することでハーネス本体１０の配索経路を規制する経路規制部材６０とを備えている。ハーネス本体１０は、コネクタの形状が異なる複数のハーネス本体から選択されたものである。経路規制部材６０は、上記複数のハーネス本体の外周に対して共通に設けられることで、当該複数のハーネス本体から選択されたハーネス本体１０の配索経路を規制するものである。
【００２２】
まず、ハーネス本体１０の構成について説明する。
図１及び図４に示すように、ハーネス本体１０は、第１電線１１と、第１電線１１から分岐された第２電線１２とを備えている。第２電線１２の先端には、車両の機器に接続される第１のコネクタ２０または第２のコネクタ４０が設けられている。
【００２３】
次に、第１のコネクタ２０について説明する。
図７（ａ）〜図７（ｄ）に示すように、第１のコネクタ２０は、幅方向（図７（ｃ）及び図７（ｄ）の左右方向）において対称な形状をなしている。第１のコネクタ２０は、略直方体状をなし、第２電線１２に接続される本体部２１を有している。以下、本体部２１のうち、図７（ｂ）における上面を表面、下面を裏面として説明する。また、本体部２１のうち、図７（ｂ）において第２電線１２が接続される側（同図の右方）を基端側、基端側とは反対側を先端側として説明する。
【００２４】
図７（ｃ）及び図７（ｄ）に示すように、本体部２１の先端側の裏面には、幅方向の両側から突出する一対の裏側突出部２２が設けられている。裏側突出部２２は、本体部２１の裏面に対して垂直な第１壁面２２ａと、同裏面に対して傾斜した第２壁面２２ｂとを有しており、断面略三角形状をなしている。各裏側突出部２２の各第１壁面２２ａは、上記幅方向において対向している。
【００２５】
本体部２１の表面には、幅方向の両側から突出する一対の表側突出部２３が設けられている。表側突出部２３の先端側の部分は、裏側突出部２２と表裏方向において対称な断面形状をなしている。
【００２６】
図７（ｂ）及び図７（ｄ）に示すように、本体部２１、裏側突出部２２、及び表側突出部２３の先端側の各面は、面一となっており先端面２１ａを構成している。
図７（ａ）及び図７（ｂ）に示すように、表側突出部２３同士の間には、本体部２１の表面から突出するとともに弾性変形可能な係止部３０が設けられている。係止部３０は、本体部２１の表面から突出した支持部３１と、支持部３１から基端側に向かって延在する延在部３２とを有している。延在部３２の基端側には、幅方向に互いに間隔をおいて設けられた一対の傾斜部３３が連結されている。各傾斜部３３の裏面は、基端側に向かうほど本体部２１の表面から離間するように傾斜して延びている。傾斜部３３同士の間の先端側の部分には、爪部３４が表側に向かって突設されている。各傾斜部３３の基端側には、一対の押圧部３５が設けられている。なお、傾斜部３３の裏面側同士及び各押圧部３５の裏面側同士は連結されている。
【００２７】
次に、第２のコネクタ４０について説明する。
図１０（ａ）〜図１０（ｄ）に示すように、第２のコネクタ４０は、幅方向（図１０（ｃ）及び図１０（ｄ）の左右方向）において対称な形状を有している。第２のコネクタ４０は、略直方体状をなし、第２電線１２に接続される本体部４１を有している。以下、本体部４１のうち、図１０（ｂ）における上面を表面、下面を裏面として説明する。また、本体部４１のうち、図１０（ｂ）における第２電線１２が接続される側（同図の右方）を基端側、基端側とは反対側を先端側として説明する。
【００２８】
図１０（ａ）及び図１０（ｂ）に示すように、本体部４１の基端側には、外周側に向かって突出したフランジ部４２が設けられている。フランジ部４２の先端側には、本体部４１の表面側に突出する門形状のアーチ部４３が連なって設けられている。フランジ部４２及びアーチ部４３には、それらの基端から先端にわたって連通する開口部４４が設けられている。
【００２９】
図１０（ａ）及び図１０（ｂ）に示すように、本体部４１の表面には、弾性変形可能な係止部５０が設けられている。係止部５０は、幅方向に互いに間隔をおいて本体部４１の表面から突出した一対の支持部５１と、各支持部５１から基端側に向かって延在する一対の延在部５２とを有している。各延在部５２の基端側には、一対の傾斜部５３が連結されている。各傾斜部５３の裏面は、基端側に向かうほど本体部４１の表面から離間するように傾斜して延びている。図１０（ｃ）及び図１０（ｄ）に示すように、各傾斜部５３の基端側は、連結部５５により互いに連結されている。図１０（ｂ）に示すように、連結部５５は、本体部４１とアーチ部４３との間に位置している。なお、連結部５５は、開口部４４を通じて基端側からアクセス可能とされている。図１０（ａ）及び図１０（ｂ）に示すように、各傾斜部５３の先端側の部分には、一対の爪部５４が表側に向かって突設されている。また、各傾斜部５３の幅方向の両側には、一対の側壁５６が突設されている。
【００３０】
図１０（ｂ）及び図１０（ｄ）に示すように、本体部４１、支持部５１、及び延在部５２の先端側の各面は、面一となっており先端面４１ａを構成している。
続いて、経路規制部材６０の構成について説明する。
【００３１】
図１〜図３に示すように、経路規制部材６０は、第１電線１１の外周の一部を覆う長尺状の規制部６１と、規制部６１の長さ方向における途中の部分から規制部６１の幅方向の両側に向かって突出した突出部６５とを備えている。突出部６５の一端側（図２の左側）には、ハーネス本体１０の第１のコネクタ２０または第２のコネクタ４０が挿入されることで第１のコネクタ２０または第２のコネクタ４０を仮保持する仮保持部７０が設けられている。経路規制部材６０は、例えば合成樹脂材料により一体成形されている。
【００３２】
規制部６１は、略長方形状をなす第１側壁６２と、第１側壁６２の幅方向の一端縁から突設された第２側壁６３と、第１側壁６２の幅方向の他端縁から突設されるとともに第２側壁６３に対向した第３側壁６４とを有しており、断面略Ｕ字状をなしている。規制部６１の第１側壁６２に対向する部分には、図示しない蓋部が開閉可能に設けられている。第２側壁６３の延在方向における中央部には、第１切欠部６３ａが設けられている。経路規制部材６０がハーネス本体１０の外周に沿わされた状態において、第２電線１２は、第１切欠部６３ａを通じて規制部６１の外側に引き出される（図１参照）。また、第２側壁６３の延在方向における一端側（図２の下方）には、第２切欠部６３ｂが設けられている。第１電線１１は、第２切欠部６３ｂにおいて、例えばテープ巻きされることにより経路規制部材６０に対して固定される。
【００３３】
図１及び図３に示すように、規制部６１の第１側壁６２の一端側（図３の上方）と、突出部６５の一端側（図３の左方）とには、ハーネス本体１０が設けられる側とは反対側に向かって突出したクリップ７９が設けられている。クリップ７９が、例えば車体に形成された取付孔（図示略）に対して弾性的に嵌合することで、経路規制部材６０が車体に対して固定される。
【００３４】
図５及び図６に示すように、仮保持部７０は、箱状をなしており、ハーネス本体１０の第１のコネクタ２０または第２のコネクタ４０が挿入可能な挿入凹部７０ａを有している。
【００３５】
すなわち、挿入凹部７０ａは、第１のコネクタ２０または第２のコネクタ４０が挿入された状態においてこれらの表面に対向する第１壁部７１と、これらの裏面に対向する第２壁部７２と、これらの両側面に対向する一対の第３壁部７３と、底壁部７４とによって形成されている。以下、第１壁部７１及び第２壁部７２が対向する方向を高さ方向、第３壁部７３同士が対向する方向を幅方向、挿入凹部７０ａに対して第１のコネクタ２０及び第２のコネクタ４０が挿入される方向（図６の左右方向）を挿入方向として説明する。
【００３６】
第１壁部７１の幅方向の両端部７１２は、中央部７１１よりも第２壁部７２側（同図の下側）に位置している。
第２壁部７２の幅方向の中央部７２１は、幅方向に沿って延在している。また、第２壁部７２の幅方向の両端部７２２は、幅方向の外側ほど第１壁部７１側に位置するように傾斜している。
【００３７】
第１壁部７１の中央部７１１には、挿入方向に沿って延びる規制溝部７１ａが設けられている。規制溝部７１ａには、規制溝部７１ａを高さ方向に貫通する凹部８０が設けられている。図１及び図４に示すように、凹部８０は、幅方向に沿って延びている。
【００３８】
図５及び図６に示すように、第２壁部７２には、第１壁部７１に向かって突出する一対の規制凸部８１が幅方向に互いに間隔をおいて設けられている。各規制凸部８１は、断面略長方形状をなしている。
【００３９】
底壁部７４のうち第１壁部７１と隣接する部分には、幅方向に沿って延びる第１規制部８２が基端側に向かって突設されている。第１規制部８２の幅方向の中央部には、第２規制部８３が基端側に向かって突設されている。第２規制部８３の基端面は、第１壁部７１側ほど基端側に位置するように傾斜している。
【００４０】
本実施形態の作用について説明する。
第１のコネクタ２０及び第２のコネクタ４０は、以下のようにして仮保持部７０に対して仮保持される。
【００４１】
まず、第１のコネクタ２０が仮保持部７０に仮保持される態様について説明する。
図８に示すように、第１のコネクタ２０が仮保持部７０の挿入凹部７０ａに挿入されると、係止部３０の支持部３１と延在部３２との連結部分が弾性変形されるとともに、係止部３０の各傾斜部３３が規制溝部７１ａに当接される。
【００４２】
このとき、図９に示すように、第１のコネクタ２０の裏面は、各規制凸部８１の頂面に当接される。これらにより、第１のコネクタ２０の高さ方向における位置が規制される。
第１のコネクタ２０の各裏側突出部２２は、挿入凹部７０ａの各規制凸部８１と、各第２壁部７２の両端部７２２との間の部分に位置している。この状態において、各裏側突出部２２の各第１壁面２２ａは、各規制凸部８１の側面に対向しており、互いの隙間は僅かである。このため、第１のコネクタ２０が幅方向に変位した際に、一対の裏側突出部２２のどちらか一方の第１壁面２２ａが、当該第１壁面２２ａに対向する規制凸部８１の側面に当接する。また、各第２壁面２２ｂは、第２壁部７２の両端部７２２に対向しており、互いの隙間は僅かである。これらにより、第１のコネクタ２０の幅方向における位置が規制される。
【００４３】
図８に示すように、第１のコネクタ２０は、先端面２１ａが底壁部７４に当接するとともに、係止部３０の先端が第２規制部８３に当接する。これらにより、第１のコネクタ２０の挿入方向における前側の位置が規制される。
【００４４】
第１のコネクタ２０の係止部３０の爪部３４は、凹部８０のうち幅方向の中央部分に挿入されることで係止される。これにより、第１のコネクタ２０の挿入方向における後側の位置が規制される。なお、凹部８０のうち幅方向の中央部分、すなわち爪部３４が係止される部分が本発明に係る第１凹部に相当する。
【００４５】
このようにして、第１のコネクタ２０は、仮保持部７０により高さ方向、幅方向、及び挿入方向における位置が規制されることで仮保持される。
なお、図９に示すように、第１のコネクタ２０が挿入凹部７０ａに挿入された状態において、第１のコネクタ２０の外周面と、挿入凹部７０ａの第１壁部７１及び各第３壁部７３との間には、空隙部９０がそれぞれ形成される。
【００４６】
なお、第１のコネクタ２０が挿入凹部７０ａに挿入された状態において、係止部３０の押圧部３５を押圧することで、係止部３０が弾性変形して爪部３４と凹部８０との係止が解除される。この状態で、第１のコネクタ２０を引き抜くことにより仮保持部７０から取り外すことができる。
【００４７】
次に、第２のコネクタ４０が仮保持部７０に仮保持される態様について説明する。
図１１に示すように、第２のコネクタ４０が仮保持部７０の挿入凹部７０ａに挿入されると、係止部５０の各支持部５１と各延在部５２の連結部分が弾性変形されるとともに、係止部５０の各側壁５６が第１壁部７１の中央部７１１に当接される。このとき、図１２に示すように、第２のコネクタ４０の裏面は、各規制凸部８１の頂面に当接される。これらにより、第２のコネクタ４０の高さ方向における位置が規制される。
【００４８】
またこのとき、第２のコネクタ４０の本体部４１の各側面と、挿入凹部７０ａの両第３壁部７３との隙間は僅かである。このため、第２のコネクタ４０が幅方向に変位した際に、本体部４１の各側面のどちらか一方が、当該側面に対向する第３壁部７３に当接する。これにより、第２のコネクタ４０の幅方向における位置が規制される。
【００４９】
図１１に示すように、第２のコネクタ４０は、先端面４１ａが第１規制部８２に当接する。これらにより、第２のコネクタ４０の挿入方向における前側の位置が規制される。
第２のコネクタ４０の係止部５０の各爪部５４は、凹部８０のうち幅方向の両端部分に挿入されることで係止されている。これにより、第２のコネクタ４０の挿入方向における後側の位置が規制される。なお、凹部８０のうち幅方向の両端部分、すなわち各爪部５４が係止される部分が本発明に係る第２凹部に相当する。
【００５０】
このようにして、第２のコネクタ４０は、仮保持部７０により高さ方向、幅方向、及び挿入方向における位置が規制されることで仮保持される。
なお、第２のコネクタ４０が挿入凹部７０ａに挿入された状態において、係止部５０の連結部５５を押圧することで、係止部５０が弾性変形して爪部５４と凹部８０との係止が解除される。この状態で、第２のコネクタ４０を引き抜くことにより仮保持部７０から取り外すことができる。
【００５１】
本実施形態の効果について説明する。
（１）第１のコネクタ２０及び第２のコネクタ４０は、爪部３４及び爪部５４をそれぞれ有している。経路規制部材６０は、第１のコネクタ２０及び第２のコネクタ４０が挿入される挿入凹部７０ａを有し、第１のコネクタ２０及び第２のコネクタ４０を仮保持する仮保持部７０を備えている。挿入凹部７０ａの第１壁部７１には、第１のコネクタ２０の爪部３４が係止される第１凹部及び第２のコネクタ４０の爪部５４が係止される第２凹部が設けられている。挿入凹部７０ａの第１壁部７１及び各第３壁部７３と、仮保持部７０に仮保持された第１のコネクタ２０との間には、空隙部９０が形成される。
【００５２】
同構成によれば、ハーネス本体１０の外周に経路規制部材６０の規制部６１を配置することによってハーネス本体１０の配索経路を規制することができる。
また、経路規制部材６０には仮保持部７０が設けられているため、ハーネス本体１０の第１のコネクタ２０を仮保持部７０の挿入凹部７０ａに挿入すると、第１のコネクタ２０の爪部３４が挿入凹部７０ａの第１壁部７１に設けられた第１凹部に係止されることで仮保持させることができる。
【００５３】
ここで、挿入凹部７０ａの第１壁部７１には、第１凹部に加えて、第２のコネクタ４０の爪部５４が係止される第２凹部が設けられている。また、挿入凹部７０ａの第１壁部７１及び各第３壁部７３と、仮保持部７０に仮保持された第１のコネクタ２０との間には、空隙部９０が形成される。これらにより、第２凹部に係止される爪部５４を有するとともに空隙部９０に沿った形状を有する第２のコネクタ４０についても仮保持部７０の挿入凹部７０ａに挿入して仮保持させることができる。したがって、コネクタの形状が互いに異なる複数のハーネス本体から選択された１つのハーネス本体１０の外周に経路規制部材６０の規制部６１を配置することによってハーネス本体１０の配索経路を規制することができるとともに、第１のコネクタ２０及び第２のコネクタ４０の仮保持部７０への誤挿入を抑制することができる。
【００５４】
（２）第１凹部及び第２凹部は挿入凹部７０ａの第１壁部７１に設けられている。
同構成によれば、第１凹部及び第２凹部が挿入凹部７０ａにおける同一の第１壁部７１に設けられているため、第１のコネクタ２０及び第２のコネクタ４０の形状にかかわらず第１のコネクタ２０及び第２のコネクタ４０を同一の姿勢にて挿入凹部７０ａに挿入して仮保持することができる。したがって、仮保持部７０に対して第１のコネクタ２０及び第２のコネクタ４０を仮保持させる作業を容易に行うことができる。
【００５５】
（３）第１凹部と第２凹部とは挿入凹部７０ａの幅方向に隣り合って設けられるとともに互いに連通している。
同構成によれば、第１凹部と第２凹部とが互いに連通して１つの凹部８０となるため、仮保持部７０の形状が簡単になることから、仮保持部７０、ひいては経路規制部材６０を容易に形成することができる。
【００５６】
（４）挿入凹部７０ａの第２壁部７２には、内側に向かって突出する規制凸部８１が設けられており、第１のコネクタ２０は、本体部２１の裏面が規制凸部８１の頂面に当接されることで高さ方向への変位が規制されるとともに、裏側突出部２２の第１壁面２２ａが規制凸部８１の側面に当接されることで挿入凹部７０ａの幅方向への変位が規制される。
【００５７】
同構成によれば、挿入凹部７０ａの第２壁部７２に突設された規制凸部８１の頂面と側面とによって挿入凹部７０ａ内における第１のコネクタ２０の位置規制を行うことができる。
【００５８】
（５）経路規制部材６０には、ハーネス本体１０の第１のコネクタ２０または第２のコネクタ４０が挿入可能な挿入凹部７０ａを有し、複数のハーネス本体のコネクタ２０，４０に対して共通の仮保持部７０が設けられており、ハーネス本体１０の第１のコネクタ２０または第２のコネクタ４０を仮保持部７０に挿入して仮保持させるようにした。
【００５９】
同構成によれば、コネクタの形状が互いに異なる複数のハーネス本体から選択された１つのハーネス本体１０の外周に経路規制部材６０の規制部６１を配置することによってハーネス本体１０の配索経路を規制することができる。また、経路規制部材６０には、複数のハーネス本体の第１のコネクタ２０及び第２のコネクタ４０に対して共通の仮保持部７０が設けられている。このため、いずれのハーネス本体１０のコネクタであっても仮保持部７０の挿入凹部７０ａに挿入して仮保持させることができる。したがって、第１のコネクタ２０及び第２のコネクタ４０の仮保持部７０への誤挿入を抑制することができる。
【００６０】
本実施形態は、以下のように変更して実施することができる。本実施形態及び以下の変更例は、技術的に矛盾しない範囲で互いに組み合わせて実施することができる。
・第１のコネクタ２０及び第２のコネクタ４０の形状や、挿入凹部７０ａの形状は適宜変更できる。要は、複数のコネクタが挿入可能であるとともに、各コネクタの位置を規制可能な規制部を有する挿入凹部７０ａであればよい。
【００６１】
・凹部８０は、第１壁部７１を貫通していなくてもよく、第１壁部７１の内面に形成された非貫通の凹部であってもよい。この場合であっても、第１のコネクタ２０及び第２のコネクタ４０の爪部３４，５４が係止される第１凹部及び第２凹部を形成することができる。
【００６２】
・第１凹部及び第２凹部は、第１壁部７１において、互いに間隔をおいて設けられていてもよい。
・第１凹部と第２凹部とは、挿入凹部７０ａを形成する複数の壁部のうち異なる壁部に設けることもできる。
【００６３】
・経路規制部材６０に仮保持部７０が複数設けられていてもよい。
【符号の説明】
【００６４】
１０…ハーネス本体、１１…第１電線、１２…第２電線、２０…第１のコネクタ、２１…本体部、２１ａ…先端面、２２…裏側突出部、２２ａ…第１壁面、２２ｂ…第２壁面、２３…表側突出部、３０…係止部、３１…支持部、３２…延在部、３３…傾斜部、３４…爪部、３５…押圧部、４０…第２のコネクタ、４１…本体部、４１ａ…先端面、４２…フランジ部、４３…アーチ部、４４…開口部、５０…係止部、５１…支持部、５２…延在部、５３…傾斜部、５４…爪部、５５…連結部、５６…側壁、６０…経路規制部材、６１…規制部、６２…第１側壁、６３…第２側壁、６３ａ…第１切欠部、６３ｂ…第２切欠部、６４…第３側壁、６５…突出部、７０…仮保持部、７０ａ…挿入凹部、７１…第１壁部、７１ａ…規制溝部、７２…第２壁部、７３…第３壁部、７４…底壁部、７９…クリップ、８０…凹部、８１…規制凸部、８２…第１規制部、８３…第２規制部、９０…空隙部、７１１…中央部、７１２…端部、７２１…中央部、７２２…端部。
【図１】
2020010572.tif 000003
【図２】
2020010572.tif 000004
【図３】
2020010572.tif 000005
【図４】
2020010572.tif 000006
【図５】
2020010572.tif 000007
【図６】
2020010572.tif 000008
【図７】
2020010572.tif 000009
【図８】
2020010572.tif 000010
【図９】
2020010572.tif 000011
【図１０】
2020010572.tif 000012
【図１１】
2020010572.tif 000013
【図１２】
2020010572.tif 000014
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
電線及び前記電線の端末に設けられたコネクタを有するハーネス本体と、前記ハーネス本体の外周に位置することで前記ハーネス本体の配索経路を規制する規制部を有する経路規制部材と、を備えるワイヤハーネスであって、
前記コネクタは、爪部を有しており、
前記経路規制部材は、前記コネクタが挿入される挿入凹部を有し、前記コネクタを仮保持する仮保持部を備えており、
前記挿入凹部の内側壁には、前記爪部が係止される第１凹部及び前記爪部の係止に寄与しない第２凹部が設けられており、
前記挿入凹部の内側壁と前記仮保持部に仮保持された前記コネクタとの間には、空隙部が形成されており、
前記第１凹部及び前記第２凹部は前記挿入凹部における同一の前記内側壁に設けられており、
前記挿入凹部の内側壁のうち前記第１凹部及び前記第２凹部に対向する対向壁には、内側に向かって突出する規制凸部が設けられており、
前記コネクタは、前記規制凸部の頂面に当接されることで前記対向壁側への変位が規制されるとともに、前記規制凸部の側面に当接されることで前記挿入凹部の幅方向への変位が規制される、
ワイヤハーネス。
【請求項２】
前記第１凹部と前記第２凹部とは前記挿入凹部の幅方向に隣り合って設けられるとともに互いに連通している、
請求項１に記載のワイヤハーネス。
【請求項３】
電線及び前記電線の端末に設けられたコネクタをそれぞれ有し、前記コネクタの形状が互いに異なる複数のハーネス本体から選択された一つの当該ハーネス本体と、当該ハーネス本体の外周に位置することで当該ハーネス本体の配索経路を規制する規制部を有し、複数の前記ハーネス本体に対して共通して設けられる経路規制部材と、を備えるワイヤハーネスにおいて、
前記経路規制部材は、形状の異なる前記コネクタが挿入可能な挿入凹部を有し、前記挿入凹部に挿入されたコネクタを仮保持する共通の仮保持部を備えており、
前記共通の仮保持部は、前記コネクタの爪部が係止される凹部と、前記挿入凹部の内側に向かって突出する規制凸部とを含み、
前記挿入凹部の内側壁は、前記凹部が設けられた第１壁部と、前記規制凸部が設けられた第２壁部とを有しており、
前記挿入凹部に挿入されたコネクタは、前記規制凸部の頂面に当接されることで前記第２壁部側への変位が規制されるとともに、前記凹部に前記爪部が係止されることで前記コネクタの挿入方向における後側の位置が規制された状態で前記仮保持部に保持されている、
ワイヤハーネス。
【請求項４】
前記コネクタには突出部が設けられており、
前記挿入凹部に挿入されたコネクタは、前記突出部が前記規制凸部の側面に当接されることで幅方向の位置が規制される、
請求項３に記載のワイヤハーネス。
【請求項５】
前記挿入凹部は、前記挿入方向に対向する底壁を備え、
前記底壁のうち前記第１壁部と隣接する部分には、前記挿入凹部の内側に向かって突出する挿入規制部が設けられており、
前記挿入規制部は、前記底壁から前記挿入方向に沿って延びる第１規制部と、前記第１規制部と前記第１壁部との間で前記底壁から離れる方向に傾斜する第２規制部とを有し、
前記挿入凹部に挿入されたコネクタは、前記第１規制部、又は前記底壁及び前記第２規制部に当接されることで前記挿入方向における前側の位置が規制された状態で前記仮保持部に保持されている、
請求項３又は請求項４に記載のワイヤハーネス。
【請求項６】
電線及び前記電線の端末に設けられたコネクタをそれぞれ有し、前記コネクタの形状が互いに異なる複数のハーネス本体から選択された一つの当該ハーネス本体と、当該ハーネス本体の外周に位置することで当該ハーネス本体の配索経路を規制する規制部を有し、複数の前記ハーネス本体に対して共通して設けられる経路規制部材と、を備えるワイヤハーネスにおいて、
前記経路規制部材は、形状の異なる前記コネクタが挿入可能な挿入凹部を有し、前記挿入凹部に挿入されたコネクタを仮保持する共通の仮保持部を備えており、
前記コネクタは、第１爪部を有する第１コネクタと、第２爪部を有する第２コネクタとを含み、
前記挿入凹部の内側壁には、前記第１爪部が係止されるが前記第２爪部の係止に寄与しない第１凹部と、前記第２爪部が係止されるが前記第１爪部の係止に寄与しない第２凹部とが設けられている、
ワイヤハーネス。
【請求項７】
前記第１凹部及び前記第２凹部は前記挿入凹部における同一の前記内側壁に設けられている、
請求項６に記載のワイヤハーネス。
【請求項８】
前記第１凹部と前記第２凹部とは前記挿入凹部の幅方向に隣り合って設けられるとともに互いに連通している、
請求項７に記載のワイヤハーネス。
【請求項９】
前記挿入凹部の内側壁のうち前記第１凹部及び前記第２凹部に対向する対向壁には、内側に向かって突出する規制凸部が設けられており、
前記コネクタは、前記規制凸部の頂面に当接されることで前記対向壁側への変位が規制されるとともに、前記規制凸部の側面に当接されることで前記挿入凹部の幅方向への変位が規制される、
請求項７または請求項８に記載のワイヤハーネス。
【請求項１０】
電線及び前記電線の端末に設けられたコネクタをそれぞれ有し、前記コネクタの形状が互いに異なる複数のハーネス本体から選択された一つの当該ハーネス本体と、当該ハーネス本体の外周に位置することで当該ハーネス本体の配索経路を規制する規制部を有し、複数の前記ハーネス本体に対して共通の経路規制部材と、を備えるワイヤハーネスに適用され、当該ハーネス本体の前記コネクタを仮保持する方法であって、
前記経路規制部材は、形状の異なる前記コネクタが挿入可能な挿入凹部を有し、複数の前記ハーネス本体の前記コネクタに対して共通の仮保持部が設けられており、
前記コネクタは、第１爪部を有する第１コネクタと、第２爪部を有する第２コネクタとを含み、
前記挿入凹部の内側壁には、前記第１爪部が係止されるが前記第２爪部の係止に寄与しない第１凹部と、前記第２爪部が係止されるが前記第１爪部の係止に寄与しない第２凹部とが設けられており、
前記ハーネス本体の前記コネクタを前記仮保持部に挿入して仮保持させる、
ワイヤハーネスのコネクタの仮保持方法。